(57)【要約】【課題】回転電機の冷却方式の切り替えを短時間で可能とする。【解決手段】回転電機は、回転子、固定子、フレーム、軸受、軸受ブラケット、冷却器、冷却器カバー４１、および冷却器カバー４１内の流路を切り替える切り替え機構を有する。フレームには、冷却器カバー４１内の空間と連通するフレーム第１開口およびフレーム第２開口とが形成されている。冷却器カバー４１は、外気入口扉４５、外気出口扉４７ａ、４７ｂ、隔壁４２ａ、４２ｂを有する。切り替え機構は、循環状態から、循環状態の流路を閉鎖して、外気が外気入口開口４４ａ、４４ｂ、フレーム第１開口、フレームの内部、フレーム第２開口および外気出口開口４３を流れる開放流路が形成された開放状態に移行させるように、外気入口扉４７ａ、４７ｂおよび外気出口扉４５を移動可能に構成されている。【選択図】図２
2017046452.tif 000002
【特許請求の範囲】
【請求項１】
回転軸の周りを回転可能に軸支され両端に取り付けられた内部ファンを有するロータシャフトと、前記ロータシャフトの径方向周囲に配された回転子鉄心とを具備する回転子と、
前記回転子鉄心の径方向外側に配された固定子鉄心と、前記固定子鉄心に配された電機子巻線とを具備する固定子と、
前記固定子および前記回転子鉄心を収納するフレームと、
前記ロータシャフトの両端を回転可能に軸支する２つの軸受と、
前記２つの軸受のそれぞれを固定支持する２つの軸受ブラケットと、
前記フレーム内の冷却用気体を外部からの冷却媒体により冷却する冷却器と、
前記フレームに固定されて前記フレームとともに密閉空間を形成し、前記冷却器を内蔵し、前記冷却器よりさらに前記フレームより離れた位置において、外部と連通する外気入口開口および外気出口開口とが形成された冷却器カバーと、
前記冷却器カバー内の流路を切り替える切り替え機構と、
を備え、
前記フレームには、前記冷却器カバー内の空間と連通するフレーム第１開口およびフレーム第２開口とが形成されており、
前記冷却器カバーは、
前記外気入口開口を閉止可能な外気入口扉と、
前記外気出口開口を閉止可能な外気出口扉と、
前記フレームの内部から、前記フレーム第１開口、冷却器カバー内連通空間を通り、前記フレーム第２開口に戻る循環流路を形成するための隔壁と、
を具備し、
前記切り替え機構は、前記循環流路が形成された循環状態から、前記循環状態の流路を閉鎖して、外気が前記外気入口開口、前記フレーム第１開口、前記フレームの内部、前記フレーム第２開口および前記外気出口開口を流れる開放流路が形成された開放状態に移行させるように、前記外気入口扉および前記外気出口扉を移動可能に構成されていることを特徴とする回転電機。
【請求項２】
前記冷却器カバーは、
前記外気入口開口に沿って移動可能な入口扉回転軸と、
前記外気出口開口に沿って移動可能な出口扉回転軸と、
を具備し、
前記切り替え機構は、前記入口扉回転軸および前記出口扉回転軸を移動可能に構成され、
前記外気入口扉は、前記入口扉回転軸を中心に揺動可能で、前記入口扉回転軸の移動に伴って前記外気入口開口を閉止する状態から、前記開放状態における前記外気入口開口を開放するとともに前記冷却器カバー内連通空間との流路を閉止する状態に移行可能に構成され、
前記外気出口扉は、前記出口扉回転軸を中心に揺動可能で、前記出口扉回転軸の移動に伴って前記外気出口開口を閉止する状態から、前記開放状態における前記外気出口開口を開放するとともに前記冷却器カバー内連通空間との流路を閉止する状態に移行可能に構成されている、
ことを特徴とする請求項１に記載の回転電機。
【請求項３】
前記切り替え機構は、
前記冷却器カバーに設けられ、前記入口扉回転軸および前記出口扉回転軸とそれぞれ結合した移動蓋と、
前記移動蓋を前記冷却器カバー外に移動させる切り替え機構と、
を有することを特徴とする請求項１または請求項２に記載の回転電機。
【請求項４】
前記冷却器カバー内連通空間と前記冷却器カバー内連通空間より前記フレーム側との境界に設けられ、前記開放状態において前記外気入口扉および前記外気出口扉を保持する複数の受けバーをさらに有することを特徴とする請求項１ないし請求項３のいずれか一項に記載の回転電機。
【発明の詳細な説明】
【技術分野】
【０００１】
本発明は、内部の冷却方式を切り替え可能な回転電機に関する。
【背景技術】
【０００２】
発電プラントなど、プラントに使用される大容量の回転電機は、数時間でも停止すると、プラントの稼働の停止に至り多大な損失を生ずる場合がある。
【０００３】
回転電機への周囲環境からの塵埃の流入、湿度の高い空気の流入が継続することは、高電圧の部材間に施された絶縁機能を維持する観点等から好ましくない。これを避けるためには、回転電機を全閉型とし、外部の冷却媒体との熱交換を行う冷却器を内蔵させる内冷形冷却方式が一般的である。この冷却器が故障等により使用できない場合は、回転電機の冷却機能が喪失するので、回転電機を停止する必要がある。
【先行技術文献】
【特許文献】
【０００４】
【特許文献１】特開２０１３−８５４２５号公報
【発明の概要】
【発明が解決しようとする課題】
【０００５】
冷却器の故障時に、回転電機の停止を避けるために、外気を取り入れて冷却できるように、外気の取り入れ口および排出口を備える技術が知られている（特許文献１）。しかしながら、冷却方式の変更のための作業、操作に要する時間が長いという問題がある。外気を取り入れて冷却できる状態への切り替えのための作業の間は、冷却流路が確立していない状態であるため、回転電機の温度上昇が生ずる。
【０００６】
そこで、本発明は、回転電機の冷却方式の切り替えを短時間で可能とすることを目的とする。
【課題を解決するための手段】
【０００７】
上述の目的を達成するため、本発明に係る回転電機は、回転軸の周りを回転可能に軸支され両端に取り付けられた内部ファンを有するロータシャフトと、前記ロータシャフトの径方向周囲に配された回転子鉄心とを具備する回転子と、前記回転子鉄心の径方向外側に配された固定子鉄心と、前記固定子鉄心に配された電機子巻線とを具備する固定子と、前記固定子および前記回転子鉄心を収納するフレームと、前記ロータシャフトの両端を回転可能に軸支する２つの軸受と、前記２つの軸受のそれぞれを固定支持する２つの軸受ブラケットと、前記フレーム内の冷却用気体を外部からの冷却媒体により冷却する冷却器と、前記フレームに固定されて前記フレームとともに密閉空間を形成し、前記冷却器を内蔵し、前記冷却器よりさらに前記フレームより離れた位置において、外部と連通する外気入口開口および外気出口開口とが形成された冷却器カバーと、前記冷却器カバー内の流路を切り替える切り替え機構と、を備え、前記フレームには、前記冷却器カバー内の空間と連通するフレーム第１開口およびフレーム第２開口とが形成されており、前記冷却器カバーは、前記外気入口開口を閉止可能な外気入口扉と、前記外気出口開口を閉止可能な外気出口扉と、前記フレームの内部から、前記フレーム第１開口、冷却器カバー内連通空間を通り、前記フレーム第２開口に戻る循環流路を形成するための隔壁と、を具備し、前記切り替え機構は、前記循環流路が形成された循環状態から、前記循環状態の流路を閉鎖して、外気が前記外気入口開口、前記フレーム第１開口、前記フレームの内部、前記フレーム第２開口および前記外気出口開口を流れる開放流路が形成された開放状態に移行させるように、前記外気入口扉および前記外気出口扉を移動可能に構成されていることを特徴とする。
【発明の効果】
【０００８】
本発明によれば、回転電機の冷却方式の切り替えが短時間で可能となる。
【図面の簡単な説明】
【０００９】
【図１】実施形態に係る回転電機の構成を示す縦断面図である。
【図２】実施形態に係る回転電機の冷却器カバーの側面図である。
【図３】図２で示す冷却器カバーのＩＩＩ−ＩＩＩ線矢視横断面図である。
【図４】図３で省略している切り替え機構の構成を示す部分断面図である。
【図５】図３に示す外気出口扉の開放途中の状態を示す横断面図である。
【図６】図３に示す外気出口扉の開放状態を示す横断面図である。
【発明を実施するための形態】
【００１０】
以下、図面を参照して、本発明の実施形態に係る回転電機について説明する。ここで、互いに同一または類似の部分には、共通の符号を付して、重複説明は省略する。
【００１１】
図１は、実施形態に係る回転電機の構成を示す縦断面図である。回転電機１００は、回転子１０、固定子２０、フレーム３１、２つの軸受３６、これら軸受３６を固定支持する軸受ブラケット３５、冷却器４０、冷却器４０を内包する冷却器カバー４１、および切り替え機構５０（図４）を有する。
【００１２】
回転子１０は、回転軸の周りを回転可能に軸支されて水平に延びるロータシフト１１と、ロータシャフト１１の径方向周囲に配された回転子鉄心１２を有する。ロータシャフト１１の両端には、それぞれ内部ファン１１ａ、１１ｂが取り付けられている。
【００１３】
固定子２０は、固定子鉄心２１および電機子巻線２２を有する。固定子鉄心２１は、回転子鉄心１２の径方向外側に配され、円筒状である。固定子鉄心２１の回転子鉄心１２に対向する内面側には、周方向に互いに間隔をおいて形成され、軸方向に延びた複数の図示しないスロットが形成されている。電機子巻線２２は、それぞれのスロットに巻回されている。
【００１４】
フレーム３１は、固定子２０および回転子鉄心１２を収納する。フレーム３１の上面は、冷却器カバー４１に覆われており、フレーム３１は冷却器カバー４１と相まって、密閉空間３８を形成する。フレーム３１の冷却器カバー４１に覆われている面には、中央部分にフレーム第１開口として冷却器入口開口３２が、またその両側にフレーム第２開口として冷却器出口開口３３ａ、３３ｂが形成されている。
【００１５】
固定子鉄心２１の軸方向の両側の端部のそれぞれからフレーム３１に至るまで、径方向に拡がる仕切り板３４が設けられている。この結果、フレーム３１内の密閉空間３８は、軸方向に２つの仕切り板３４に挟まれたフレーム内中央空間３１ａと、フレーム内中央空間３１ａの両側のフレーム内側部空間３１ｂ、３１ｃの３つの空間に分割される。フレーム内中央空間３１ａは、径方向には、固定子２０とフレーム３１に囲まれた領域である。また、フレーム内側部空間３１ｂ、３１ｃには、それぞれ、内部ファン１１ａ、１１ｂなどが配されている。
【００１６】
冷却器４０は、冷却器カバー４１内にあって、固定子２０と軸方向に同じ位置に配されている。冷却器４０の軸方向の両端部外側に隣接して、それぞれ隔壁４２ａ、４２ｂが設けられている領域の外側を除いてフレーム３１および冷却器カバー４１まで拡がっている。領域の外側すなわち冷却器カバー４１のフレーム３１と反対側は、１つの空間である冷却器カバー内連通空間４１ａを形成している。
【００１７】
また、冷却器カバー内連通空間４１ａを除く冷却器カバー４１内の密閉空間３８は、隔壁４２ａ、４２ｂによって３つの空間に分割されている。すなわち、隔壁４２ａと隔壁４２ｂに挟まれた冷却器カバー内中央空間４１ｂ、隔壁４２ａと冷却器カバー４１に挟まれた冷却器カバー内側部空間４１ｃ、および隔壁４２ｂと冷却器カバー４１に挟まれた冷却器カバー内側部空間４１ｄである。
【００１８】
フレーム内中央空間３１ａは、冷却器入口開口３２を介して、冷却器カバー内中央空間４１ｂと連通している。フレーム内側部空間３１ｂは、冷却器出口開口３３ａを介して、冷却器カバー内側部空間４１ｃと連通している。また、フレーム内側部空間３１ｃは、冷却器出口開口３３ｂを介して、冷却器カバー内側部空間４１ｄと連通している。また、冷却器カバー内中央空間４１ｂは、冷却器カバー内連通空間４１ａを介して、冷却器カバー内側部空間４１ｃおよび冷却器カバー内側部空間４１ｄとそれぞれ連通している。
【００１９】
内部ファン１１ａは、ロータシャフト１１が回転している状態では、フレーム内側部空間３１ｂ内の冷却用気体を回転子鉄心１２および固定子２０側に駆動する。同様に、内部ファン１１ｂは、フレーム内側部空間３１ｃ内の冷却用気体を回転子鉄心１２および固定子２０側に駆動する。回転子鉄心１２および固定子２０側に駆動された冷却用気体は、回転子鉄心１２および固定子２０を冷却しながら通過し、フレーム内中央空間３１ａに流入し、冷却器入口開口３２を経由して、冷却器カバー内中央空間４１ｂに流入する。
【００２０】
冷却器カバー内中央空間４１ｂに流入した冷却用気体は、冷却器４０を通過することにより冷却される。冷却器４０で冷却された冷却用気体は、冷却器カバー内中央空間４１ｂから冷却器カバー内連通空間４１ａに流入し、２方向に分岐し、冷却器カバー内側部空間４１ｃおよび冷却器カバー内側部空間４１ｄのいずれかに流入する。冷却器カバー内側部空間４１ｃに流入した冷却用気体は冷却器出口開口３３ａを経由して、フレーム内側部空間３１ｂに流入する。また、冷却器カバー側部空間４１ｄに流入した冷却用気体は冷却器出口開口３３ｂを経由して、フレーム内側部空間３１ｃに流入する。
【００２１】
以上のように、冷却器４０が正常な状況においては、本来の内冷形冷却方式として、冷却用気体が、フレーム３１および冷却器カバー４１内の密閉空間３８を循環する循環流路が形成された循環状態が維持される。
【００２２】
図２は、冷却器カバーの側面図である。また、図３は、図２で示す冷却器カバーのＩＩＩ−ＩＩＩ線矢視横断面図である。冷却器カバー４１の両側面には、外気出口開口４３および外気入口開口４４ａ、４４ｂが形成されている。外気出口開口４３は、冷却器４０の位置と比べてフレーム３１からより遠い位置に形成されている。また、外気入口開口４４ａ、４４ｂは、外気出口開口４３と同じ遠さの位置に形成されている。
【００２３】
それぞれの開口に沿って、扉が設けられている。すなわち、外気出口開口４３に沿って、外気出口開口４３の高さおよび幅よりそれぞれ大きな外気出口扉４５が設けられている。外気入口開口４４ａに沿っては、外気入口開口４４ａの高さおよび幅よりそれぞれ大きな外気入口扉４７ａが設けられている。また、外気入口開口４４ｂに沿っては、外気入口開口４４ｂの高さおよび幅よりそれぞれ大きな外気入口扉４７ｂが設けられている。
【００２４】
外気出口扉４５は、その下部を出口扉回転軸４６に回動可能に支持されている。出口扉回転軸４６は、上下に移動可能である。外気入口扉４７ａは、その下部を入口扉回転軸４８ａに回動可能に支持されている。入口扉回転軸４８ａは、上下に移動可能である。同様に、外気入口扉４７ｂは、その下部を入口扉回転軸４８ｂに回動可能に支持されている。入口扉回転軸４８ｂは、上下に移動可能である。
【００２５】
出口扉回転軸４６、入口扉回転軸４８ａ、４８ｂは、後述する切り替え機構５０（図４）によってフレーム３１に遠い方向、すなわち上方向に駆動可能に構成されている。
【００２６】
外気出口扉４５の内側の片端には開方向付勢部材４５ａが取り付けられている。ここで、開方向付勢部材４５ａは、永久磁石を用いることができる。後述する受けバー４９としてたとえば強磁性体を用いることにより、開方向付勢部材４５ａと受けバー４９との間に吸着力を生ずることができる。あるいは、図１、図２のような回転電機１００の配置方向では、開方向付勢部材４５ａとして、錘を用いて、重力を利用することでもよい。
【００２７】
外気出口扉４５が外気出口開口４３を閉止する状態を維持するために、受け部材４５ｄが、冷却器カバー４１の内面に取り付けられている。受け部材４５ｄは、外気出口開口４３の下縁より低く、冷却管４０ａの上端より高い位置に設けられ、外気出口開口４３の下縁に沿って延びている。
【００２８】
一方、外気出口扉４５が、外気出口開口４３を開放し、かつ、冷却器カバー内中央空間４１ｂと冷却器カバー内連通空間４１ａとの冷却気体の流路を閉止する状態を維持するための、受けバー４９が冷却器カバー４１に複数本、取り付けられている。
【００２９】
図示を省略しているが、外気入口扉４７ａおよび外気入口扉４７ｂのそれぞれについても、同様の位置に開方向付勢部材が取り付けられ、また、受け部材が同様に設けられている。
【００３０】
図４は、図３で省略している切り替え機構の構成を示す部分断面図である。切り替え機構５０は、移動蓋５１、ワイヤ５２、レバー５３、梃子台５４、および駆動部５７を有する。
【００３１】
移動蓋５１は、回転電機の正常運転時には、冷却器カバー４１に設けられた蓋用開口４１ｆを、その蓋として閉止している。移動蓋５１と出口扉回転軸４６とは、複数のワイヤ５２で結合されている。なお、図４では、ワイヤ５２は鉛直方向から斜めになっているが、鉛直上下方向になるように取り付けられていてもよいし、あるいは、図４と逆方向に傾くように取り付けられていてもよい。出口扉回転軸４６は、ワイヤ５２により上方に平行移動するように構成されている。なお、ここではワイヤの場合を例に示したが、張力を伝達できればロッドあるいは鎖状のもの等でもよい。
【００３２】
移動蓋５１と駆動部５７は、冷却器カバー４１の上面に搭載され、レバー５３で結合されている。移動蓋５１とレバー５３とは第２リンク５４ｂにより回動自在に結合されている。駆動部５７とレバー５３とは第３リンク５４ｃにより回動自在に結合されている。梃子台５４は、移動蓋５１と駆動部５７の間の位置で、冷却器カバー４１の上面に搭載され、レバー５３を支持している。梃子台５４とレバー５３とは第１リンク５４ａにより回動自在に結合されている。
【００３３】
駆動部５７により、レバー５３が下方に移動すると、移動蓋５１はレバー５３により上方に持ち上げられる。この結果、出口扉回転軸４６は、ワイヤ５２により上方に引き上げられる。
【００３４】
図示を省略しているが、切り替え機構５０は、外気入口扉４７ａおよび外気入口扉４７ｂについても、それぞれ、移動蓋、ワイヤ、レバー、梃子台を有する。また、第３リンク５４ｃは、出口扉回転軸４６用のレバー５３、入口扉回転軸４８ａ用のレバーおよび入口扉回転軸４８ｂ用のレバーのいずれとも回動自在に結合している。このため、駆動部５７は、出口扉回転軸４６、入口扉回転軸４８ａおよび入口扉回転軸４８ｂを共通に駆動可能である。
【００３５】
なお、駆動部５７は、たとえば、電動機、油圧ジャッキ等を用いることができるが、手動で操作するためのレバー等でもよい。
【００３６】
図５は、図３に示す外気出口扉の開放途中の状態を示す横断面図である。なお、切り替え機構５０の図示を省略している。以下、外気出口扉４５を例にとって説明するが、外気入口扉４７ａ、４７ｂについても同様である。
【００３７】
出口扉回転軸４６が、切り替え機構５０によって上方に吊りあげられると、出口扉回転軸４６の下端は、受け部材４５ｄの上方に移動し受け部材４５ｄから外れる。また、開方向付勢部材４５ａが、外気出口扉４５の、冷却器カバー４１の内側に向かった面に取り付けられていることから、外気出口扉４５には、出口扉回転軸４６を中心にその上部が冷却器カバー４１の内側に向かう方向のモーメントが生ずる。このため、外気出口扉４５は、上部が冷却器カバー４１の内側に向かう方向に傾く。
【００３８】
ここで、受けバー４９のうち、外気出口扉４５に近い側の受けバー４９ａは、外気出口扉４５を支持する役割をはたす。すなわち、外気出口扉４５は、上側に移動する際に、出口扉回転軸４６および受けバー４９ａに支持されながら上昇する。
【００３９】
図６は、図３に示す外気出口扉の開放状態を示す横断面図である。出口扉回転軸４６および受けバー４９ａにより支持が静的に安定しない状態になると、外気出口扉４５は、転倒して、受けバー４９ａおよび受けバー４９ｂ上に水平な状態で安定する。
【００４０】
この状態では、外気出口扉４５は、冷却器カバー内中央空間４１ｂの上部を覆い、冷却器カバー内中央空間４１ｂと冷却器カバー内連通空間４１ａとの連通を阻害する状態となる。
【００４１】
図示しないが、入口扉回転軸４８ａが、切り替え機構５０によって上方に吊りあげられると、外気入口扉４７ａは、冷却器カバー内側部空間４１ｃの上部を覆い、冷却器カバー内側部空間４１ｃと冷却器カバー内連通空間４１ａとの連通を阻害する状態となる。同様に、入口扉回転軸４８ｂが、切り替え機構５０によって上方に吊りあげられると、外気入口扉４７ｂは、冷却器カバー内側部空間４１ｄの上部を覆い、冷却器カバー内側部空間４１ｄと冷却器カバー内連通空間４１ａとの連通を阻害する状態となる。
【００４２】
以上の結果、冷却器カバー内連通空間４１ａは、外気出口扉４５、外気入口扉４７ａおよび外気入口扉４７ｂにより閉鎖される。この状態で、回転電機１００が継続して運転されている場合、内部ファン１１ａ、１１ｂが回転し、フレーム３１内の冷却用気体を駆動している。なお、冷却器カバー内連通空間４１ａが閉鎖されている状態に、若干の漏えいを生ずる個所が存在する場合、冷却器カバー内中央空間４１ｂと冷却器カバー内側部空間４１ｃ間の差圧、および冷却器カバー内中央空間４１ｂと冷却器カバー内側部空間４１ｄ間の差圧による流れが生ずる。しかしながらこれらの差圧は大きなものではないため、多少の漏えいを生ずる個所の存在は問題ない。
【００４３】
外気入口開口４４ａから流入した外気は、冷却器出口開口３３ａを経由してフレーム３１内のフレーム内側部空間３１ｂに流入する。フレーム内側部空間３１ｂ内に流入した外気は、内部ファン１１ａによって回転子鉄心１２および固定子２０側に送られる。同様に、外気入口開口４４ｂから流入した外気は、冷却器出口開口３３ｂを経由してフレーム内側部空間３１ｃに流入する。フレーム内側部空間３１ｃ内に流入した外気は、内部ファン１１ｂによって回転子鉄心１２および固定子２０側に送られる。
【００４４】
回転子鉄心１２および固定子２０側に送られた外気は、回転子鉄心１２および固定子２０を冷却した後に、フレーム内中央空間３１ａを経由して、冷却器入口開口３２から冷却器カバー内中央空間４１ｂ内に流入する。冷却器カバー内中央空間４１ｂ内に流入した外気は、冷却器４０を通過して外気出口開口４３から、外部に流出する。
【００４５】
このように、切り替え機構５０により外気出口扉４５および外気入口扉４７ａ、４７ｂを開いた後は、回転電機１００は外気を冷却用気体として直接流入させかつ流出させる開放流路を形成する開放状態を確保することによって、回転子鉄心１２および固定子２０の冷却を確保することができる。
【００４６】
なお、切り替え機構５０の第３リンク５４ｃを移動させることにより、冷却のための冷却気体の流路を、循環流路から開放流路に容易に切り換えが可能であるが、逆に、開放流路から循環流路への切り替えは、ある程度の時間を要する。これは、回転電機１００の起動準備作業の一環であり、緊急性を要するものではない。したがって、ある程度の時間を要することは問題ない。
【００４７】
以上のように構成された本実施形態においては、切り替え機構５０の駆動部５７の動作によって、回転電機１００内の冷却方式は、循環流路を有する循環状態による内冷形冷却方式から、開放流路を有する開放状態による外部冷却方式に切り換わる。すなわち、回転電機の冷却方式の切り替えが短時間で可能となる。
【００４８】
［その他の実施形態］
以上、本発明の実施形態を説明したが、実施形態は、例として提示したものであり、発明の範囲を限定することは意図していない。
【００４９】
実施形態では、ロータシャフト１１が水平で、フレームの上方に冷却器カバーが設けられている場合を示したが、これに限定されない。たとえば、立形の回転電機で、冷却器カバーがフレームの側部についている場合でも本発明は適用可能である。この際、扉の開閉方向を上下方向に変更するなどを行えば、冷却器カバー内連通空間の閉鎖のための開方向付勢部材に錘を用いることも可能である。
【００５０】
たとえば、実施形態では、冷却気体の流れは、フレーム内から冷却器に上昇した後に、両側からファンに流入する場合を示したが、これに限定されない。たとえば、逆の流れでもよい。また、ファンの取り付けの向きは回転子鉄心および固定子側に送風する向きの場合を示したが、反対向きでもよい。この場合、冷却器出口開口がフレーム第１開口であり冷却器入口開口がフレーム第２開口となる。
【００５１】
あるいは、実施形態では、それぞれの開口および扉の形状が長方形の場合を示したが、これに限定されない。たとえば、その他の多角形あるいは円形であってもよい。
【００５２】
また、実施形態は、その他の様々な形態で実施されることが可能であり、発明の要旨を逸脱しない範囲で、種々の省略、置き換え、変更を行うことができる。実施形態やその変形は、発明の範囲や要旨に含まれると同様に、特許請求の範囲に記載された発明とその均等の範囲に含まれるものである。
【符号の説明】
【００５３】
１０…回転子、１１…ロータシャフト、１１ａ、１１ｂ…内部ファン、１２…回転子鉄心、２０…固定子、２１…固定子鉄心、２２…電機子巻線、３１…フレーム、３１ａ…フレーム内中央空間、３１ｂ、３１ｃ…フレーム内側部空間、３２…冷却器入口開口（フレーム第１開口）、３３ａ、３３ｂ…冷却器出口開口（フレーム第２開口）、３４…仕切り板、３５…軸受ブラケット、３６…軸受、３８…密閉空間、４０…冷却器、４０ａ…冷却管、４１…冷却器カバー、４１ａ…冷却器カバー内連通空間、４１ｂ…冷却器カバー内中央空間、４１ｃ、４１ｄ…冷却器カバー内側部空間、４１ｆ…蓋用開口、４２ａ、４２ｂ…隔壁、４３…外気出口開口、４４ａ、４４ｂ…外気入口開口、４５…外気出口扉、４５ａ…開方向付勢部材、４５ｄ…受け部材、４６…出口扉回転軸、４７ａ、４７ｂ…外気入口扉、４８ａ、４８ｂ…入口扉回転軸、４９、４９ａ、４９ｂ…受けバー、５０…切り替え機構、５１…移動蓋、５２…ワイヤ、５３…レバー、５４…梃子台、５４ａ…第１リンク、５４ｂ…第２リンク、５４ｃ…第３リンク、５７…駆動部、１００…回転電機
【図１】
2017046452.tif 000003
【図２】
2017046452.tif 000004
【図３】
2017046452.tif 000005
【図４】
2017046452.tif 000006
【図５】
2017046452.tif 000007
【図６】
2017046452.tif 000008